(57)【要約】【課題】暖房回路に接続した圧力計の短寿命化を防止増加できるボイラー装置を提供する。【解決手段】  放熱端末と缶体４とを暖房往き管と暖房戻り管とで接続して暖房回路を形成したボイラー装置に於いて、一端を前記暖房回路に接続し、他端を圧力計１９に接続した接続管２０を設け、該接続管２０に立ち上げ部２２と立ち下げ部２４とを形成したので、接続管２０内に暖房回路内の熱媒体が流れても、立ち上げ部２２の曲げの箇所で熱媒体が留まり、又、接続管２０内に流入した熱媒体と接続管２０に取り付けた圧力計１９との間の接続管２０内には空気層が形成され、この空気層により高温の熱媒体が直接圧力計１９と接触することがなく、高温の熱媒体の熱により圧力計１９の寿命が短くなるのを防止できるものである。【選択図】図３
2020101316.tif 000002
【特許請求の範囲】
【請求項１】
外枠と、バーナ部と、缶体と、圧力計とを備え、放熱端末と前記缶体とを暖房往き管と暖房戻り管とで接続して暖房回路を形成したボイラー装置に於いて、一端を前記暖房回路に接続し、他端を前記圧力計に接続した接続管を設け、該接続管に立ち上げ部と立ち下げ部とを形成したことを特徴とするボイラー装置。
【請求項２】
前記接続管は、前記暖房回路との接続部分から立ち上げ部を形成し、該立ち上げ部のあとに立ち下げ部を形成したことを特徴とする請求項１記載のボイラー装置。
【請求項３】
前記接続管の立ち上げ部と立ち下げ部との間にコイル状に巻回した巻回部を形成したことを特徴とする請求項１又は請求項２記載のボイラー装置。
【請求項４】
前記接続管の一端は前記暖房回路内に設けられている気水分離器の上部に接続した請求項１から請求項３のいずれか一項に記載のボイラー装置。
【請求項５】
前記外枠の前面に前扉を設け、該前扉の前記接続管及び圧力計の位置に通気孔を形成した請求項１から請求項４のいずれか一項に記載のボイラー装置。
【発明の詳細な説明】
【技術分野】
【０００１】
この発明は、少なくとも暖房回路を有するボイラー装置に関するものである。
【背景技術】
【０００２】
従来この種のものでは、外枠内にバーナ部の燃焼によって内方の熱媒体が加熱される缶体が配置されており、１台で給湯、温水暖房、及び、風呂の追焚きが可能なものがあった。（例えば、特許文献１参照）
【０００３】
又、温水による暖房回路には気水分離器が設けられているが、この気水分離器に圧力計を設けて気水分離器内の圧力を検出するものがあった。（例えば、特許文献２参照）
【先行技術文献】
【特許文献】
【０００４】
【特許文献１】特開２０１８−１４１５８３号公報
【特許文献２】特開２０１２−４７４３９号公報
【発明の概要】
【発明が解決しようとする課題】
【０００５】
ところでこの従来のものは、外枠内の温度がバーナ部の燃焼により高くなっている上に、暖房回路の気水分離器には６０℃から８０℃の高温の暖房用の温水が流れるため、気水分離器に設けた圧力計がその熱により寿命が短くなってしまい、更に燃焼等により発生する脈動振動が気水分離器に設けた圧力計に伝わって更に圧力計の寿命が短くなってしまうという課題があった。
【課題を解決するための手段】
【０００６】
本発明は上記課題を解決するために、請求項１では、外枠と、バーナ部と、缶体と、圧力計とを備え、放熱端末と前記缶体とを暖房往き管と暖房戻り管とで接続して暖房回路を形成したボイラー装置に於いて、一端を前記暖房回路に接続し、他端を前記圧力計に接続した接続管を設け、該接続管に立ち上げ部と立ち下げ部とを形成したものである。
【０００７】
また、請求項２では、前記請求項１に於いて、前記接続管は、前記暖房回路との接続部分から立ち上げ部を形成し、該立ち上げ部のあとに立ち下げ部を形成したものである。
【０００８】
また、請求項３では、前記請求項１又は請求項２に於いて、前記接続管の立ち上げ部と立ち下げ部との間にコイル状に巻回した巻回部を形成したものである。
【０００９】
また、請求項４では、前記請求項１から請求項３のいずれか一項に於いて、前記接続管の一端は前記暖房回路内に設けられている気水分離器の上部に接続したものである。
【００１０】
また、請求項５では、前記請求項１から請求項４のいずれか一項に於いて、前記外枠の前面に前扉を設け、該前扉の前記接続管及び圧力計の位置に通気孔を形成したものである。
【発明の効果】
【００１１】
この発明の請求項１によれば、一端を前記暖房回路に接続し、他端を前記圧力計に接続した接続管を設け、該接続管に立ち上げ部と立ち下げ部とを形成したので、接続管内に暖房回路内の熱媒体が流れても、立ち上げ部の曲げの箇所で熱媒体が留まって、接続管内に流入した熱媒体と接続管に取り付けた圧力計との間の接続管内には空気層が形成され、この空気層により高温の熱媒体が直接圧力計と接触することがなく、高温の熱媒体の熱により圧力計の寿命が短くなるのを防止できるものである。
【００１２】
又、バーナ部の燃焼により発生する脈動振動がこの空気層により減衰され、脈動振動により圧力計の寿命が短くなるのを防止できるものである。
【００１３】
また、請求項２によれば、前記接続管は、暖房回路との接続部分から立ち上げ部を形成し、該立ち上げ部のあとに立ち下げ部を形成したので、接続管の暖房回路との接続部分付近に空気層が形成されることにより、高温の熱媒体が直接圧力計と接触することがなく、高温の熱媒体の熱により圧力計の寿命が短くなるのを防止できるものである。
【００１４】
更に、接続管内に流入した熱媒体と接続管に取り付けた圧力計との距離を長くすることができ、接続管内に流入した熱媒体の熱が圧力計に伝熱するまでの間に温度が低下して高温の熱媒体の熱により圧力計の寿命が短くなるのを防止できるものである。
【００１５】
また、請求項３によれば、前記接続管の立ち上げ部と立ち下げ部との間に複数回コイル状に巻回した巻回部を形成したので、外枠内の限られた空間内に接続管の全長を長く設けることができ、これにより接続管の全長を脈動振動を大幅に減衰できる所定の長さより長くすることができ、バーナ部の燃焼により発生する脈動振動を大幅に減衰できるものである。
【００１６】
又、接続管の全長を長く設けることができることで、接続管からの放熱を多くして接続管の温度が高くなるのを防止でき、それにより熱により接続管に取り付けられる圧力計の寿命が短くなるのを防止できるものである。
【００１７】
また、請求項４によれば、前記接続管の一端は前記暖房回路内に設けられている気水分離器の上部に接続したので、気水分離器内の上部の気体部分に接続管の一端が接続され、気水分離器内の高温の熱媒体が接続管に流れ込みにくくなり、高温の熱媒体が接続管に流れ込むことにより接続管の温度が高くなるのを防止できるものである。
【００１８】
また、請求項５によれば、前記外枠の前記接続管及び圧力計の位置に通気孔を形成したので、接続管及び圧力計の熱を効率よく放熱させて熱により接続管に取り付けられる圧力計の寿命が短くなるのを防止できるものである。
【図面の簡単な説明】
【００１９】
【図１】この発明の一実施形態を示すボイラー装置の斜視図。
【図２】同要部側面図。
【図３】同気水分離器と接続管と圧力計の分解斜視図。
【発明を実施するための形態】
【００２０】
次に、本発明に係る発明の１実施形態を図面に基づいて説明する。
１はボイラー装置で、１台で給湯、温水暖房、及び、風呂の追焚きが可能な装置である。
そして該ボイラー装置１は、外枠２と、該外枠２内の下部寄りの位置に設置されたバーナ部３と、前記外枠２内の上部寄りの位置に設置された缶体４と、前記外枠２内の中央部に設置された制御基板５と、を備えている。
【００２１】
又、前記外枠２は、前記外枠２内に横方向に延設された補強板６等の骨格フレーム材と、前扉７、上方前パネル８、下方前パネル９等のパネル部材と、によって形成された筐体（外装部材）からなる。
又、外枠１の天井板１０と底板１１との間の内側には、下仕切板１２と上仕切板１３とで仕切られて上下方向に３分割されることによって、中央に機能室１４、下方にタンク室１５、上方に排気室１６が形成されている。
【００２２】
前記機能室１４内には、気化した石油等の燃料を燃焼させるバーナ部３と、該バーナ部３の燃焼によって内方に貯溜した水等の熱媒体が加熱される円筒缶状の缶体４とが配置されており、前記缶体４は、載置台１７に設置されている。
また、機能室１４内には、制御基板５が収容されており、前記制御基板５は、電子部品が実装されたプリント基板であり、ボイラー装置１の各部の動作を制御する。
【００２３】
前記缶体４内方には、蛇管による間接加熱式の給湯用の熱交換器を構成する給湯用熱交換器（図示せず）と、蛇管による間接加熱式の風呂追焚き用の熱交換器を構成する風呂用熱交換器（図示せず）とを備え、缶体４内上部に給湯用熱交換器、缶体４内下部に風呂用熱交換器を配設し、温水暖房、給湯、風呂追焚きを同時またはそれぞれ単独でも行えるようにしたものである。
【００２４】
前記温水暖房を行う暖房回路は、床暖房パネル等の放熱端末（図示せず）と缶体４とを暖房往き管（図示せず）と暖房戻り管（図示せず）とで接続して密閉式の暖房回路を形成し、該暖房回路には、暖房用循環ポンプ（図示せず）、気水分離器１８、暖房用膨張タンク（図示せず）、暖房バイパス管（図示せず）、該暖房バイパス管途中の開閉弁（図示せず）とが設けられ、缶体４内の熱媒体の温度は缶体温度センサ（図示せず）により検出される。
【００２５】
そして缶体４にてバーナ部３の燃焼で暖房運転用の缶体目標温度まで加熱された熱媒体が、暖房用循環ポンプの駆動により暖房往き管を介して放熱端末に送られて暖房が行われ、放熱端末で放熱した低温の熱媒体が暖房戻り管を介して缶体４に戻され再度加熱されて循環するものである。
【００２６】
１９は圧力計で、一端を気水分離器１８の側面上部に接続された接続管２０の他端に接続され、暖房回路内の圧力を検出するものである。
【００２７】
前記接続管２０は、気水分離器１８の外枠２正面側の側面上部に対して略水平に接続される気水分離器接続部２１と、該気水分離器接続部２１から略垂直に上方向に立ち上がった立ち上げ部２２と、該立ち上げ部２２の先端を複数回コイル状に巻回した巻回部２３と、該巻回部２３の先端を略垂直に下方向に立ち下がった立ち下げ部２４と、該立ち下げ部２４の先端を略水平に曲げて外枠２１正面方向に向かせ、その先端に前記圧力計１９を接続する圧力計接続部２５とからなるもので、前記立ち下げ部２４は、気水分離器接続部２１よりも圧力計接続部２５が低い位置になるように前記立ち上げ部２２よりも長く形成されているものである。
【００２８】
又、前記前扉７の圧力計１９と接続管２０の正面に位置する箇所には鎧戸状の通気孔２６が縦方向に複数形成されているものである。
【００２９】
次にこの一実施例の作動について説明する。
まず、暖房運転スイッチ（図示せず）がオンされ、暖房運転が開始されると、制御基板５は、缶体温度センサの検出する熱媒体の温度が缶体目標温度である第２目標温度（例えば７０℃）になるように、缶体温度センサの検出する温度が第２目標温度に応じて設定される加熱開始温度（燃焼オン温度）に達したら、バーナ部３の燃焼加熱を開始し、缶体温度センサの検出する温度が第２目標温度に応じて設定される加熱停止温度（燃焼オフ温度）に達したら、バーナ部３の燃焼加熱を停止する制御を行うと共に、暖房用循環ポンプを駆動して缶体４内の熱媒体を放熱端末に流通させた後、再び缶体４に戻す循環を繰り返して、放熱端末によって室内の暖房を行うものである。
【００３０】
又、接続管２０の一端を前記暖房回路に接続し、他端を前記圧力計に接続したので、暖房回路の圧力を圧力計１９が検知して表示するものである。
【００３１】
この時、前記接続管２０には立ち上げ部２２と立ち下げ部２４とが設けられているので、接続管２０内に暖房回路内の熱媒体が流れても、立ち上げ部２２の曲げの箇所で熱媒体が留まるものである。
それにより、接続管２０内に流入した熱媒体と接続管２０に取り付けた圧力計１９との間の接続管２０内には空気層が形成される。
【００３２】
この空気層が接続管２０内に流入した熱媒体と接続管２０に取り付けた圧力計１９との間の接続管２０内に形成されることにより、高温の熱媒体が直接圧力計１９と接触することがなく、高温の熱媒体の熱により圧力計１９の寿命が短くなるのを防止できるものである。
【００３３】
又、バーナ部３の燃焼により脈動振動が発生することがあるが、この空気層が接続管２０内に流入した熱媒体と接続管２０に取り付けた圧力計１９との間の接続管２０内に形成されることにより脈動振動が減衰され、脈動振動により圧力計１９の寿命が短くなるのを防止できるものである。
【００３４】
又、前記接続管２０は、暖房回路との接続部分から立ち上げ部２２を形成し、該立ち上げ部２２のあとに立ち下げ部２４を形成したので、接続管２０内に暖房回路内の熱媒体が流れても、暖房回路との接続部分付近に熱媒体が留まるものである。
【００３５】
それにより、接続管２０の暖房回路との接続部分付近に空気層が形成されることにより、高温の熱媒体が直接圧力計１９と接触することがなく、高温の熱媒体の熱により圧力計１９の寿命が短くなるのを防止できるものである。
【００３６】
更に、接続管２０内に流入した熱媒体と接続管２０に取り付けた圧力計１９との距離を長くすることができ、接続管２０内に流入した熱媒体の熱が圧力計１９に伝熱するまでの間に温度が低下して高温の熱媒体の熱により圧力計１９の寿命が短くなるのを防止できるものである。
【００３７】
又、立ち上げ部２２のあとに立ち下げ部２４を形成し、その立ち下げ部２４の先に圧力計１９を取り付けたので、接続管２０内に流入した熱媒体により温度が高くなっている接続管２０の上流部分から圧力計１９を離すことができ、温度が高くなっている接続管２０の上流部分から放熱される熱の影響を低減して圧力計１９の寿命が短くなるのを防止できるものである。
【００３８】
又、立ち上げ部２２と立ち下げ部２４との間に複数回コイル状に巻回した巻回部２３を    形成したので、外枠２１内の機能室１４の限られた空間内に接続管２０の全長を長く設けることができる。
【００３９】
これにより、接続管２０の全長を所定の長さより長くすると、バーナ部３の燃焼により発生する脈動振動を大幅に減衰できるが、その所定の長さを複数回コイル状に巻回した巻回部２３を形成したことにより確保することができ、バーナ部３の燃焼により発生する脈動振動を大幅に減衰できるものである。
【００４０】
又、接続管２０の全長を長く設けることができることで、接続管２０からの放熱を多くして接続管２０の温度が高くなるのを防止でき、それにより熱により接続管２０に取り付けられる圧力計１９の寿命が短くなるのを防止できるものである。
【００４１】
又、接続管２０の一端を暖房回路内に設けられている気水分離器１８の上部に接続したことにより、気水分離器１８内の上部の気体部分に接続管２０の一端が接続され、気水分離器１８内の高温の熱媒体が接続管２０に流れ込みにくくなり、高温の熱媒体が接続管２０に流れ込むことにより接続管２０の温度が高くなるのを防止できるものである。
【００４２】
又、前記外枠２１を構成する前扉７で、前記接続管２０及び圧力計１９の位置に通気孔２６を設けたので、接続管２０及び圧力計１９の熱を効率よく放熱させて熱により接続管２０に取り付けられる圧力計１９の寿命が短くなるのを防止できるものである。
【符号の説明】
【００４３】
２  外枠
３  バーナ部
１９  圧力計
２０  接続管
２２  立ち上げ部
２４  立ち下げ部
【図１】
2020101316.tif 000003
【図２】
2020101316.tif 000004
【図３】
2020101316.tif 000005